(57)【要約】【課題】透過率を向上させた光拡散アセンブリを提供する。【解決手段】光拡散アセンブリ３が、光散乱効果を呈する拡散板３１と、透過光の輝度を増強する輝度増強シート３２と、前記拡散板３１と前記輝度増強シート３２との間に挟まれて、前記拡散板３１と前記輝度増強シート３２に対面接触し、空気の屈折率より高く前記拡散板３１のそれより低い屈折率を備えた媒介物３３とを有するように構成する。【選択図】図２
2007072458.tif 000002
【特許請求の範囲】
【請求項１】
光散乱効果を呈する拡散板と、
透過光の輝度を増強する輝度増強シートと、
前記拡散板と前記輝度増強シートとの間に挟まれて、前記拡散板と前記輝度増強シートに対面接触し、空気の屈折率より高く前記拡散板のそれより低い屈折率を備えた媒介物と
を有することを特徴とする光拡散アセンブリ。
【請求項２】
請求項１記載の光拡散アセンブリであって、
前記媒介物は、１．３３〜１．６の範囲の屈折率を有していること
を特徴とする光拡散アセンブリ。
【請求項３】
請求項１記載の光拡散アセンブリであって、
前記媒介物は、水、グリセリン、及び光学接着剤からなる群から選択された材料で作製されていること
を特徴とする光拡散アセンブリ。
【請求項４】
請求項１記載の光拡散アセンブリであって、
前記輝度増強シートは、
前記媒介物と対面接触する接続部と、
前記媒介物から離れる方向に前記接続部から延出し、複数の突起が形成された粗面化部と
を有することを特徴とする光拡散アセンブリ。
【請求項５】
請求項１記載の光拡散アセンブリであって、
前記拡散板は、
前記媒介物より高い屈折率を備えた樹脂性マトリクスと、
前記樹脂性マトリクス内で分散した複数の拡散粒子と
を有することを特徴とする光拡散アセンブリ。
【発明の詳細な説明】
【技術分野】
【０００１】
（関連出願の相互参照）
本願は、２００５年９月５日出願の中国出願第２００５１００９８６３２．７号の優先権を主張する。
【０００２】
本発明は、光拡散アセンブリに係り、より詳しくは、拡散板と輝度増強シートとの間に挟まれた媒介物を有する光拡散アセンブリに関する。
【背景技術】
【０００３】
バックライトモジュールは、液晶表示装置の重要な構成部品の一つであり、液晶パネルに画像の表示を可能にするための均一な光源を提供するために用いられる。当該光源の配置に基づき、バックライトモジュールは、ボトムライト型とサイドライト型とに分類される。
【０００４】
図１は、ボトムライト型バックライトモジュールのための従来の光拡散アセンブリ１を示している。従来の光拡散アセンブリ１は、開放端を有する反射ベース１３と、反射ベース１３との間に収容スペースを画定するように反射ベース１３の開放端上に取り付けられ、光入射面１１１と光射出面１１２とを有する拡散板１１と、当該収容スペースに取り付けられた複数のランプ管１２と、拡散板１１から離れて空間に配置され、輝度増強シート、拡散シート、及び光を反射及び散乱させることができる光学シートなどの複数のフレーム付き光学シート１４とを含んでいる。ランプ管１２から射出した光は、反射ベース１３により拡散板１１に向かって反射し、次いで、拡散板１１の通過時に散乱させられ、次いで、一連の反射、屈折、及び散乱を受けるように光学シート１４を通過する。
【０００５】
しかしながら、塵の汚染を避けるために、従来の光拡散アセンブリ１の製造は、クリーンルームで行われることが要求されており、より高い製造コストをもたらしている。さらに、拡散板１１と隣接する光学シート１４との間の空気の存在は、拡散板１１と隣接の光学シート１４のアセンブリの透過率を減少させる。
【発明の開示】
【発明が解決しようとする課題】
【０００６】
従って、本発明の目的は、従来技術の上記欠点を克服することのできる光拡散アセンブリを提供することである。
【課題を解決するための手段】
【０００７】
本発明によれば、光散乱効果を呈する拡散板と、透過光の輝度を増強する輝度増強シートと、前記拡散板と前記輝度増強シートとの間に挟まれて、前記拡散板と前記輝度増強シートに対面接触し、空気の屈折率より高く前記拡散板のそれより低い屈折率を備えた媒介物とを有することを特徴とする光拡散アセンブリが提供される。
【０００８】
本発明の他の特徴点及び利点は、添付図面を参照しつつ、本発明の好適な実施形態の以下の詳細な説明において明らかになる。
【発明の効果】
【０００９】
本発明によれば、従来技術に関係する前述の欠点が排除できる。
【発明を実施するための最良の形態】
【００１０】
図２及び図３は、本発明による、液晶表示装置の液晶パネル２０に投射される均一な光源を提供するのに供される、バックライトモジュール２のための光拡散アセンブリ３の好適な実施形態を説明する図である。
【００１１】
バックライトモジュール２は、さらに、反射ベース２２、複数のランプ管２１、拡散シート及び輝度増強シートなどの複数の光学シート２３を含んでいる。
【００１２】
光拡散アセンブリ３は、ランプ管２１の設置のための収容スペース３０を画定するように、反射ベース２２の開放端に取り付けられ、光散乱効果を呈する拡散板３１と、透過光の輝度を高める少なくとも１つの輝度増強シート３２と、拡散板３１と輝度増強シート３２との間でそれらと対面接触して、空気の屈折率より高く拡散板３１のそれより小さい屈折率を有する媒介物３３とを含んでいる。
【００１３】
本実施形態において、拡散板３１は、樹脂性マトリクス３１１と、樹脂性マトリクス３１１内に分散され透過光を散乱させる複数の拡散粒子３１２とを含んでいる。好適には、樹脂性マトリクス３１１は、１．６の屈折率を有している。拡散粒子３１２のそれぞれは、集光レンズとして機能する。樹脂性マトリクス３１１及び拡散粒子３１２の材料は、当該技術分野でよく知られた市販されているものである。従って、ここでは、その詳細な説明は省略する。あるいは、拡散粒子３１２を用いる代わりに、拡散板３１は、拡散効果を得られるように複数の交互に配置された突起と窪み（不図示）で形成されることができる。
【００１４】
輝度増強シート３２は、媒介物３３と対面接触している接続部３２１と、媒介物３３から離れる方向に接触部３２１から延出し、複数のプリズム状突起３２３が形成された粗面化部３２２とを有している。輝度増強シート３２の粗面化部３２２は、通過光を集中させ平行（コリメート）にすることにより拡散板３１の光抽出効率を高めるために機能する。輝度増強シート３２は、当該技術分野でよく知られているので、ここではその詳細な説明は省略する。
【００１５】
好適には、媒介物３３は、１．３３〜１．６の範囲の屈折率を有している。より詳しくは、媒介物３３は、好適には、水、グリセリン、及び光学接着剤からなる群から選択される材料で作られる。
【００１６】
光拡散アセンブリ３は、拡散板３１及び輝度増強シート３２を準備し、拡散板３１と輝度増強シート３２の一方の表面に媒介物３３を塗布し、続いて、拡散板３１、輝度増強シート３２、及び媒介物３３を互いに接着するためそれらのアセンブリを押圧することにより、従来方法で製造することができる。上記の塗布作業は、従来のローラコータやダイコータを用いて行うことができる。媒介物３３が漏れるのを防止するために、拡散板３１、輝度増強シート３２、及び媒介物３３のアセンブリの周囲を密封するように取り囲む枠（フレーム）を用いることができる。
【００１７】
本発明の光拡散アセンブリ３の利点は、従来の試験方法で実行された試験結果を参照して明らかになる。試験結果は、上述の従来の光拡散アセンブリが、６１％の光拡散率と、３４％の透過率とを有しているのに比較して、本発明の光拡散アセンブリ３は、６６％の光拡散率と、５５％の透過率とを有していることを示している。
【００１８】
それゆえ、拡散板３１と輝度増強シート３２との間に挟まれて、これらに対面接触し、空気の屈折率より高く拡散板３１のそれより低い屈折率を有する媒介物３３を含むことで、本発明の光拡散アセンブリ３において、従来技術に関係する前述の欠点が排除できる。
【００１９】
本発明を最も実際的かつ好ましい実施形態とみなされるものに関連して説明したが、本発明は開示した実施形態に限定されず、最も広範な解釈および等価な構成物の精神および範囲の内に包含される種々の構成物を包括するように意図されていると理解される。
【図面の簡単な説明】
【００２０】
【図１】液晶表示装置のバックライトモジュールのための従来の光拡散アセンブリの概略部分断面図である。
【図２】本発明による、液晶表示装置のバックライトモジュールのための光拡散アセンブリの好適な実施形態の概略部分断面図である。
【図３】好適な実施形態の断片断面図である。
【符号の説明】
【００２１】
１、３  光拡散アセンブリ
２  バックライトモジュール
１１、３１  拡散板
１２、２１  ランプ管
１３、２２  反射ベース
１４、２３  光学シート
２０  液晶パネル
３０  収容スペース
３２  輝度増強シート
３３  媒介物
１１１  光入射面
１１２  光射出面
３１１  樹脂性マトリクス
３１２  拡散粒子
３２１  接触部
３２２  粗面化部
３２３  プリズム状突起
【図１】
2007072458.tif 000003
【図２】
2007072458.tif 000004
【図３】
2007072458.tif 000005
【外国語明細書】
2007072458000001.pdf
2007072458000002.pdf
2007072458000003.pdf
2007072458000004.pdf